(57)【要約】【課題】本考案は、靴箱や三和土などに多数の靴が置いてある場合にも、容易に靴に取り付けることが可能で、一足の靴の左右双方を係止固定しながらも自らの靴を識別しやすく、可愛らしさを伴う靴識別名札を提供することを目的とするものである。【解決手段】本考案は、名札１を表面２ａには名前、裏面２ｅには住所を明記する頭部２、ねじ部３、クリップ部４で構成し、前記頭部２はカエルの顔を模した形状及び装飾とし、前記ねじ部３には３６０度回転可能な回転ねじ３ｃが挿通され、前記クリップ部４は左部材４ａと右部材４ｂの上方の長さに違いを設けたことを特徴とする靴識別名札の構成とした。【選択図】図１
0003129182.tif 000002
【実用新案登録請求の範囲】
【請求項１】
表面及び裏面に靴を識別するための記入欄を設けた頭部と、前記頭部の下において上方の長い左部材と短い右部材とで靴の双方を係止固定する挟み状のクリップ部と、前記頭部の底と前記クリップ部の左部材とを接合するねじ部とからなり、クリップ部の右部材を左部材よりも短くすることで摘みやすくしたことを特徴とする靴識別名札。
【請求項２】
ねじ部に回転ねじを用い、頭部を垂直に立てた状態から１８０度前方に折り畳んでコンパクトにしたり、直角に後方に倒してクリップ部で靴を挟持した際に靴の識別を容易にしたことを特徴とする請求項１に記載の靴識別名札。
【請求項３】
頭部をカエルの形状及び装飾としたことを特徴とする請求項１又は２に記載の靴識別名札。
【考案の詳細な説明】
【技術分野】
【０００１】
本考案は、人が大勢集まる場所等で靴箱に多数の靴が収納されている場合や玄関の三和土に多数の靴が置かれている場合に、自らの靴を明確に識別し、且つ脱いだ靴がバラバラにならないように係止固定することが可能で、容易に靴に取り付けることができる靴識別名札に関するものである。
【背景技術】
【０００２】
従来、靴を識別するためのものとしては、特許文献１に記載のように、透明の材料で構成し、間に名札を挟んで挟持する構造を備えた一対のプレートと、この一対のプレートのいずれか一方の上部側より設けたところに備えた一対の靴類の双方を挟持する構造の弾性を有する一対のフック部とで構成し、前記一方のプレートを浅いケース状に構成し、もう一方のプレートを前記ケース状のプレート内へ収納させる板状のもので構成すると共に、互いのプレートの一側部が折り曲げ自在に接続される構造と成し、前記接続部の反対側に互いのプレートを係止固定させる係止手段を設けることによって構成されたフックプレートがある。
【０００３】
前記のフックプレートは、所有者の名前が容易に確認できる上に、脱いだ靴類の双方を同時に挟持できるので、靴類の位置がずれることなく、また下足箱にいれた場合にもフックプレートが邪魔になることがなく、フックプレートの名札側が常に下足箱の開口部側を向くので名前の確認が容易となるものである。
【０００４】
しかしながら、前記のフックプレートは、プレートの上部側に設けられた一対のフック部を一足の靴の左右それぞれに挟み込んで挟持するために靴類の位置がずれることがなくても、厚手の生地による靴類の場合には取り付けに手間取ることがあり、不便である。
【０００５】
また、前記のフックプレートは、透明のプレートに名前が記入されているだけなので飾り気が一切なく、可愛らしさや個性を求める女性や子供にとっては物足りなさを感じるものでもある。
【特許文献１】特開平９−２７４４４１号
【考案の開示】
【考案が解決しようとする課題】
【０００６】
そこで、本考案は、靴箱や三和土などに多数の靴が置いてある場合にも、容易に靴に取り付けることが可能で、一足の靴の左右双方を係止固定しながらも自らの靴を識別しやすく、可愛らしさを伴う靴識別名札を提供することを目的とするものである。
【課題を解決するための手段】
【０００７】
本考案は、上記の課題を解決するために、名札１を表面２ａには名前、裏面２ｅには住所をそれぞれ明記する頭部２、ねじ部３、クリップ部４で構成し、前記頭部２はカエルの顔を模した形状及び装飾としたことを特徴とする靴識別名札の構成とした。
【０００８】
また、本考案は、前記名札１を構成するねじ部３に３６０度回転可能な回転ねじ３ｃを用いることで、頭部２をクリップ４に密着するように折りたたみ可能であることを特徴とした靴識別名札の構成とした。
【考案の効果】
【０００９】
本考案は、洗濯ばさみの要領でクリップ部に左右の靴の側面部を挟み込むだけで容易に取り付けることができ、左右の靴の双方を係止固定するのでバラバラになることもなく、容易に自らの靴を識別することが可能である。
【００１０】
また、本考案は、ねじ部が３６０度回転可能なことから、コンパクトに折りたたむことができるため、持ち歩きにも便利である。
【考案を実施するための最良の形態】
【００１１】
図１は本考案である靴識別名札の正面図、図２は名札の背面図、図３は名札の左側面図、図４は名札の右側面図である。図１から図４に示すように、本考案である靴識別名札１は、頭部２、ねじ部３及びクリップ部４により構成されている。
【００１２】
図１に示すように、本考案である靴識別名札１を構成する頭部２の板状の頭部本体２ａはカエルを模した形状に成形され、前記頭部本体２ａの表面２ｂには名前を記入する欄が設けられ、裏面２ｅには図２に示すように住所を記入する欄が設けられている。また、前記表面２ｂにはカエルを模したことを明確にするための緑色の縁装飾２ｃ及び目装飾２ｄが施されている。
【００１３】
名札１を構成するねじ部３は頭部２とクリップ部４を接合する部分であり、前記ねじ部３は、クリップ部４の左部材４ａの上方に接合されている。前記ねじ部３を構成するねじ具３ａの上部には頭部本体２ａの底辺すなわちカエルの顎を位置する辺と接続された回転ねじ３ｃが挿通されている。
【００１４】
また、ねじ部３のねじ具３ａの表面には頭部２で表したカエルに合わせてリボン装飾３ｂが施されている。これにより、頭部２を後方に倒して使用する場合にも靴の踵側からの見た目が華やかになる。
【００１５】
本考案である名札１を構成するクリップ部４は、本考案である名札を使用する場合に左右の靴の内側の側面を挟み込み挟持する部分であり、使用の際には洗濯ばさみの要領で左部材４ａ及び右部材４ｂの上方を指で摘むことで左部材４ａと右部材４ｂの間に隙間ができ、その隙間に左右の靴の内側の側面を挟み込むことで本考案である名札を左右の靴に容易に取り付け、且つ靴の双方を係止固定することが可能となる。
【００１６】
前記クリップ部４は、図１から図４に示すように、左部材４ａ、右部材４ｂ、係止具４ｃから構成されており、左部材４ａは右部材４ｂよりも上方が長く形成され、その上部に前記ねじ部３が接合されているものである。
【００１７】
クリップ部４の左部材４ａよりも右部材４ｂが短く形成されているのは、使用時にクリップ部４で靴を挟持するためクリップ部４を指で摘む際に左部材４ａと右部材４ｂが左右対称であると左部材４ａに接合されたねじ部３が右部材４ｂに引っかかりクリップ部４の動きが悪くなるため、それを解消するために左部材４ａと右部材４ｂの長さに違いを設けた。
【００１８】
図５は本考案である靴識別名札の頭部を後方に倒した状態の正面図、図６は名札の頭部を後方に倒した状態の右側面図、図７は名札の頭部を前方に倒して折りたたんだ状態の正面図である。
【００１９】
図５から図７に示すように、本考案である靴識別名札１は、頭部２を前方あるいは後方に倒して使用することができる。これは、前述した頭部本体２ａの底辺と接続されてねじ部３の上部に挿通された回転ねじ３ｃが３６０度回転可能な機能を有するためである。
【００２０】
図５及び図６に示すように頭部２を後方に倒す場合は、クリップ部４の左部材４ａの上面に接するように直角に後方に倒すことができ、且つ直角に後方に倒した状態で前記左部材４ａの上面により保持される。
【００２１】
また、図７に示すように頭部２を前方に倒す場合には、図６中に矢印で示したとおり、頭部２を垂直に立てた状態から１８０度前方に回転させ、頭部２の表面２ａがクリップ部４の表面に密着するように折りたたむことができ、コンパクトにすることが可能である。
【実施例１】
【００２２】
図８は、本考案である靴識別名札を靴に取り付けた使用状態を示す図である。図８に示すように、靴箱５に収納する靴６、６ａに本考案である名札１を使用する場合には、靴６を脱ぐと同時に本考案である名札１のクリップ部４を指で摘んで靴６の左右双方の内側の側面をクリップ部４で挟持してから、棚板５ｂに靴６を収納する。この時、名札１の頭部２は垂直に立てた状態であり、表面２ｂには名前が記入されているので靴箱５の開口部から靴６の持ち主の名前がはっきりと見て取ることができ、明確に識別することができる。
【００２３】
図９は、本考案である靴識別名札を靴に取り付けた他の使用状態を示す図である。図９に示すように、玄関の三和土８などに多数の靴が置かれている場合、左右の靴がバラバラになってしまったり、似たような靴があると間違って履いてしまうなどのトラブルが起きることもある。
【００２４】
前記のようなトラブルを回避するために、靴７、７ａを脱ぐと同時に持ち主が予め名前を記入しておいた名札１を取り出し、靴７の左右双方の内側面を名札１で挟持し名札１の頭部２を後方に倒しておくことで、左右の靴７がバラバラにならず、上方から見ても靴７の持ち主が一目瞭然となる。
【００２５】
また、普段は図７に示した頭部２を前方に倒して折りたたんだ状態にしておくことで非常にコンパクトになり、鞄などにいれても邪魔にならないので持ち歩きにも便利であり、外出先で靴を脱ぐことになったときにもすぐに使用することができる。
【図面の簡単な説明】
【００２６】
【図１】靴識別名札の正面図である。
【図２】靴識別名札の背面図である。
【図３】靴識別名札の左側面図である。
【図４】靴識別名札の右側面図である。
【図５】頭部を後方に倒した状態の正面図である。
【図６】頭部を後方に倒した状態の右側面図である。
【図７】頭部を前方に倒して折りたたんだ状態の正面図である。
【図８】名札を靴に取り付けた使用状態を示す図である。
【図９】名札を靴に取り付けた他の使用状態を示す図である。
【符号の説明】
【００２７】
１          名札
２          頭部
２ａ        頭部本体
２ｂ        表面
２ｃ        縁装飾
２ｄ        目装飾
２ｅ        裏面
３          ねじ部
３ａ        ねじ具
３ｂ        リボン装飾
３ｃ        回転ねじ
４          クリップ部
４ａ        左部材
４ｂ        右部材
４ｃ        係止具
５          靴箱
５ａ、５ｂ  棚板
６、６ａ    靴
７〜７ｄ    靴
８          三和土
【図１】
0003129182.tif 000003
【図２】
0003129182.tif 000004
【図３】
0003129182.tif 000005
【図４】
0003129182.tif 000006
【図５】
0003129182.tif 000007
【図６】
0003129182.tif 000008
【図７】
0003129182.tif 000009
【図８】
0003129182.tif 000010
【図９】
0003129182.tif 000011